(57)【要約】【課題】音声データの通信が困難になる場合であっても、音声データの内容を通信により確認する技術を提供する。【解決手段】処理部３４は、受けつけた音声データを業務用無線通信部３２から送信させるとともに、音声データを記憶部４４に記憶させる。業務用無線通信部３２は、本通信端末装置１０を駆動させているバッテリの残量がしきい値よりも少なくなった場合、音声データの送信を停止する。携帯通信部３０は、記憶部４４に記憶した音声データの送信を要求するための要求信号を受信する。処理部３４は、携帯通信部３０が要求信号を受信した場合、記憶部４４から取得した音声データを携帯通信部３０から送信させる。携帯通信部３０における送信電力は、業務用無線通信部３２における送信電力よりも小さい。【選択図】図１７
2016100767.tif 000002
【特許請求の範囲】
【請求項１】
第１通信方式による通信を実行する第１通信部と、
前記第１通信部における第１通信方式とは異なった第２通信方式による通信を実行する第２通信部と、
送信対象となる音声データを受けつける受付部と、
前記受付部において受けつけた音声データを前記第２通信部から送信させるとともに、音声データをメモリに記憶させる処理部とを備え、
前記第２通信部は、本通信端末装置を駆動させているバッテリの残量がしきい値よりも少なくなった場合、音声データの送信を停止し、
前記第１通信部は、メモリに記憶した音声データの送信を要求するための要求信号を受信し、
前記処理部は、前記第１通信部が要求信号を受信した場合、メモリから取得した音声データを前記第１通信部から送信させ、
前記第１通信部における送信電力は、前記第２通信部における送信電力よりも小さいことを特徴とする通信端末装置。
【請求項２】
前記第１通信部と前記第２通信部の少なくとも一方は、前記第２通信部が音声データの送信を停止した場合、送信停止を通知することを特徴とする請求項１に記載の通信端末装置。
【請求項３】
前記処理部は、前記受付部において受けつけた音声データを時刻経過に応じて複数のブロックに分割した場合に各ブロックを特定するための時刻情報と、音声データとをメモリに記憶させ、
前記第１通信部が受信した要求信号には、時刻情報が含まれ、
前記処理部は、前記第１通信部において受信した要求信号に含まれた時刻情報をもとに特定したブロックの音声データをメモリから取得し、取得した音声データを前記第１通信部から送信させることを特徴とする請求項１または２に記載の通信端末装置。
【請求項４】
前記処理部は、前記受付部において受けつけた音声データを時刻経過に応じて複数のブロックに分割した場合に各ブロックを特定するためのナンバリング情報と、音声データとを前記第２通信部から送信させるとともに、音声データとナンバリング情報とをメモリに記憶させ、
前記第１通信部が受信した要求信号には、ナンバリング情報が含まれ、
前記処理部は、前記第１通信部において受信した要求信号に含まれたナンバリング情報をもとに特定したブロックの音声データをメモリから取得し、取得した音声データを前記第１通信部から送信させることを特徴とする請求項１または２に記載の通信端末装置。
【請求項５】
第１通信方式による通信を実行する第１通信部と、
前記第１通信部における第１通信方式とは異なった第２通信方式による通信を実行する第２通信部とを備え、
前記第２通信部は、送信側からの音声データを受信し、
前記第１通信部は、前記第２通信部における音声データの未受信期間が所定期間よりも長い場合、送信側のメモリに記憶された音声データの送信を要求するための要求信号を送信するとともに、送信した要求信号に応答して、送信側のメモリに記憶された音声データを受信し、
第１通信方式における送信電力は、第２通信方式における送信電力よりも小さいことを特徴とする通信端末装置。
【請求項６】
第１通信方式による通信を実行する第１通信部と、
前記第１通信部における第１通信方式とは異なった第２通信方式による通信を実行する第２通信部とを備え、
前記第２通信部は、送信側からの音声データを受信し、
前記第１通信部と前記第２通信部の少なくとも一方には、送信側からの音声データの送信停止が通知され、
前記第１通信部は、送信停止が通知された場合、送信側のメモリに記憶された音声データの送信を要求するための要求信号を送信するとともに、送信した要求信号に応答して、送信側のメモリに記憶された音声データを受信し、
第１通信方式における送信電力は、第２通信方式における送信電力よりも小さいことを特徴とする通信端末装置。
【請求項７】
互いに異なった第１通信方式と第２通信方式による通信を実行可能であり、送信対象となる音声データを受けつけ、受けつけた音声データを第２通信方式にて送信するとともに、音声データをメモリに記憶する第１通信端末装置と、
第１通信方式と第２通信方式による通信を実行可能であり、第２通信方式にて音声データを受信する第２通信端末装置とを備え、
前記第１通信端末装置は、バッテリの残量がしきい値よりも少なくなった場合、第２通信方式による音声データの送信を停止し、
前記第２通信端末装置は、第２通信方式による音声データの未受信期間が所定期間よりも長い場合、前記第１通信端末装置のメモリに記憶された音声データの送信を要求するための要求信号を第１通信方式により送信し、
前記第１通信端末装置は、要求信号を受信した場合、メモリから取得した音声データを第１通信方式により送信し、
第１通信方式における送信電力は、第２通信方式における送信電力よりも小さいことを特徴とする通信システム。
【請求項８】
互いに異なった第１通信方式と第２通信方式による通信を実行可能であり、送信対象となる音声データを受けつけ、受けつけた音声データを第２通信方式にて送信するとともに、音声データをメモリに記憶する第１通信端末装置と、
第１通信方式と第２通信方式による通信を実行可能であり、第２通信方式にて音声データを受信する第２通信端末装置とを備え、
前記第１通信端末装置は、バッテリの残量がしきい値よりも少なくなった場合、第２通信方式による音声データの送信を停止するとともに、第１通信方式あるいは第２通信方式により送信停止を通知し、
前記第２通信端末装置は、送信停止が通知された場合、前記第１通信端末装置のメモリに記憶された音声データの送信を要求するための要求信号を第１通信方式により送信し、
前記第１通信端末装置は、要求信号を受信した場合、メモリから取得した音声データを第１通信方式により送信し、
第１通信方式における送信電力は、第２通信方式における送信電力よりも小さいことを特徴とする通信システム。
【請求項９】
互いに異なった第１通信方式と第２通信方式による通信を実行可能であり、かつ第１通信方式における送信電力が第２通信方式における送信電力よりも小さい第１通信端末装置において、送信対象となる音声データを受けつけ、受けつけた音声データを第２通信方式にて送信するとともに、音声データをメモリに記憶するステップと、
第１通信方式と第２通信方式による通信を実行可能である第２通信端末装置において、第２通信方式にて音声データを受信するステップと、
前記第１通信端末装置において、バッテリの残量がしきい値よりも少なくなった場合、第２通信方式による音声データの送信を停止するステップと、
前記第２通信端末装置において、第２通信方式による音声データの未受信期間が所定期間よりも長い場合、前記第１通信端末装置のメモリに記憶された音声データの送信を要求するための要求信号を第１通信方式により送信するステップと、
前記第１通信端末装置において、要求信号を受信した場合、メモリから取得した音声データを第１通信方式により送信するステップと、
を備えることを特徴とする通信方法。
【請求項１０】
互いに異なった第１通信方式と第２通信方式による通信を実行可能であり、かつ第１通信方式における送信電力が第２通信方式における送信電力よりも小さい第１通信端末装置において、送信対象となる音声データを受けつけ、受けつけた音声データを第２通信方式にて送信するとともに、音声データをメモリに記憶するステップと、
第１通信方式と第２通信方式による通信を実行可能である第２通信端末装置において、第２通信方式にて音声データを受信するステップと、
前記第１通信端末装置において、バッテリの残量がしきい値よりも少なくなった場合、第２通信方式による音声データの送信を停止するとともに、第１通信方式あるいは第２通信方式により送信停止を通知するステップと、
前記第２通信端末装置において、送信停止が通知された場合、前記第１通信端末装置のメモリに記憶された音声データの送信を要求するための要求信号を第１通信方式により送信するステップと、
前記第１通信端末装置において、要求信号を受信した場合、メモリから取得した音声データを第１通信方式により送信するステップと、
を備えることを特徴とする通信方法。
【発明の詳細な説明】
【技術分野】
【０００１】
本発明は、通信技術に関し、特に音声データを送信する通信端末装置、通信システム、通信方法に関する。
【背景技術】
【０００２】
携帯電話機等の通信端末装置は、任意の場所から随時通話可能であり、緊急時の通報にも使用される。しかしながら、移動体通信網のサービス圏外に位置していた場合には、通話ができず、通報もできない。これに対応するために、携帯電話機は、非常ボタン、デジタルカメラ、マイク、画像音声データ記憶部を備え、非常ボタンが一定時間押下された場合に、デジタルカメラからの画像データ、マイクからの音声データを画像音声データ記憶部に格納する。携帯電話機は、サービス圏内であれば緊急呼を自動発信し、警察署からの送信要求信号に応じて、画像データ、音声データおよび時刻データを送信する。サービス圏外であれば、サービス圏内へ移動したときに、画像音声データ記憶部に格納した画像データ、音声データが送信される（例えば、特許文献１）。
【先行技術文献】
【特許文献】
【０００３】
【特許文献１】特開２００３−２１７０６０号公報
【発明の概要】
【発明が解決しようとする課題】
【０００４】
業務用無線において、受信音声には、最小の遅延で再生されることが必要とされているので、業務用無線の通信端末装置は、受信信号を音声信号に変換すると、音声信号をすぐにスピーカから出力する。また、通信端末装置は、受信した音声を記憶媒体に記憶するので、後から会話の内容を確認したり、聞き逃した音声を確認したりすることも可能である。しかしながら、記憶媒体に記憶されているだけであるので、会話の内容は通信によって確認できない。
【０００５】
本発明はこうした状況に鑑みてなされたものであり、その目的は、音声データの通信が困難になる場合であっても、音声データの内容を通信により確認する技術を提供することである。
【課題を解決するための手段】
【０００６】
上記課題を解決するために、本発明のある態様の通信端末装置は、第１通信方式による通信を実行する第１通信部と、第１通信部における第１通信方式とは異なった第２通信方式による通信を実行する第２通信部と、送信対象となる音声データを受けつける受付部と、受付部において受けつけた音声データを第２通信部から送信させるとともに、音声データをメモリに記憶させる処理部とを備える。第２通信部は、本通信端末装置を駆動させているバッテリの残量がしきい値よりも少なくなった場合、音声データの送信を停止し、第１通信部は、メモリに記憶した音声データの送信を要求するための要求信号を受信し、処理部は、第１通信部が要求信号を受信した場合、メモリから取得した音声データを第１通信部から送信させ、第１通信部における送信電力は、第２通信部における送信電力よりも小さい。
【０００７】
本発明の別の態様もまた、通信端末装置である。この装置は、第１通信方式による通信を実行する第１通信部と、第１通信部における第１通信方式とは異なった第２通信方式による通信を実行する第２通信部とを備える。第２通信部は、送信側からの音声データを受信し、第１通信部は、第２通信部における音声データの未受信期間が所定期間よりも長い場合、送信側のメモリに記憶された音声データの送信を要求するための要求信号を送信するとともに、送信した要求信号に応答して、送信側のメモリに記憶された音声データを受信し、第１通信方式における送信電力は、第２通信方式における送信電力よりも小さい。
【０００８】
本発明のさらに別の態様もまた、通信端末装置である。この装置は、第１通信方式による通信を実行する第１通信部と、第１通信部における第１通信方式とは異なった第２通信方式による通信を実行する第２通信部とを備える。第２通信部は、送信側からの音声データを受信し、第１通信部と第２通信部の少なくとも一方には、送信側からの音声データの送信停止が通知され、第１通信部は、送信停止が通知された場合、送信側のメモリに記憶された音声データの送信を要求するための要求信号を送信するとともに、送信した要求信号に応答して、送信側のメモリに記憶された音声データを受信し、第１通信方式における送信電力は、第２通信方式における送信電力よりも小さい。
【０００９】
本発明のさらに別の態様は、通信システムである。この通信システムは、互いに異なった第１通信方式と第２通信方式による通信を実行可能であり、送信対象となる音声データを受けつけ、受けつけた音声データを第２通信方式にて送信するとともに、音声データをメモリに記憶する第１通信端末装置と、第１通信方式と第２通信方式による通信を実行可能であり、第２通信方式にて音声データを受信する第２通信端末装置とを備える。第１通信端末装置は、バッテリの残量がしきい値よりも少なくなった場合、第２通信方式による音声データの送信を停止し、第２通信端末装置は、第２通信方式による音声データの未受信期間が所定期間よりも長い場合、第１通信端末装置のメモリに記憶された音声データの送信を要求するための要求信号を第１通信方式により送信し、第１通信端末装置は、要求信号を受信した場合、メモリから取得した音声データを第１通信方式により送信し、第１通信方式における送信電力は、第２通信方式における送信電力よりも小さい。
【００１０】
本発明のさらに別の態様もまた、通信システムである。この通信システムは、互いに異なった第１通信方式と第２通信方式による通信を実行可能であり、送信対象となる音声データを受けつけ、受けつけた音声データを第２通信方式にて送信するとともに、音声データをメモリに記憶する第１通信端末装置と、第１通信方式と第２通信方式による通信を実行可能であり、第２通信方式にて音声データを受信する第２通信端末装置とを備える。第１通信端末装置は、バッテリの残量がしきい値よりも少なくなった場合、第２通信方式による音声データの送信を停止するとともに、第１通信方式あるいは第２通信方式により送信停止を通知し、第２通信端末装置は、送信停止が通知された場合、第１通信端末装置のメモリに記憶された音声データの送信を要求するための要求信号を第１通信方式により送信し、第１通信端末装置は、要求信号を受信した場合、メモリから取得した音声データを第１通信方式により送信し、第１通信方式における送信電力は、第２通信方式における送信電力よりも小さい。
【００１１】
本発明のさらに別の態様は、通信方法である。この方法は、互いに異なった第１通信方式と第２通信方式による通信を実行可能であり、かつ第１通信方式における送信電力が第２通信方式における送信電力よりも小さい第１通信端末装置において、送信対象となる音声データを受けつけ、受けつけた音声データを第２通信方式にて送信するとともに、音声データをメモリに記憶するステップと、第１通信方式と第２通信方式による通信を実行可能である第２通信端末装置において、第２通信方式にて音声データを受信するステップと、第１通信端末装置において、バッテリの残量がしきい値よりも少なくなった場合、第２通信方式による音声データの送信を停止するステップと、第２通信端末装置において、第２通信方式による音声データの未受信期間が所定期間よりも長い場合、第１通信端末装置のメモリに記憶された音声データの送信を要求するための要求信号を第１通信方式により送信するステップと、第１通信端末装置において、要求信号を受信した場合、メモリから取得した音声データを第１通信方式により送信するステップと、を備える。
【００１２】
本発明のさらに別の態様もまた、通信方法である。この方法は、互いに異なった第１通信方式と第２通信方式による通信を実行可能であり、かつ第１通信方式における送信電力が第２通信方式における送信電力よりも小さい第１通信端末装置において、送信対象となる音声データを受けつけ、受けつけた音声データを第２通信方式にて送信するとともに、音声データをメモリに記憶するステップと、第１通信方式と第２通信方式による通信を実行可能である第２通信端末装置において、第２通信方式にて音声データを受信するステップと、第１通信端末装置において、バッテリの残量がしきい値よりも少なくなった場合、第２通信方式による音声データの送信を停止するとともに、第１通信方式あるいは第２通信方式により送信停止を通知するステップと、第２通信端末装置において、送信停止が通知された場合、第１通信端末装置のメモリに記憶された音声データの送信を要求するための要求信号を第１通信方式により送信するステップと、第１通信端末装置において、要求信号を受信した場合、メモリから取得した音声データを第１通信方式により送信するステップと、を備える。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、音声データの通信が困難になる場合であっても、音声データの内容を通信により確認できる。
【図面の簡単な説明】
【００１５】
【図１】本発明の実施例１に係る通信システムの構成を示す図である。
【図２】図１の第１通信端末装置の構成を示す図である。
【図３】図１の第２通信端末装置の構成を示す図である。
【図４】図２の付与部において付与される時刻情報を示す図である。
【図５】図５（ａ）−（ｃ）は、図４のモニタに表示される画面を示す図である。
【図６】図１の通信システムによる音声データの送信手順を示すシーケンス図である。
【図７】図２の第１通信端末装置による音声データの送信手順を示すシーケンス図である。
【図８】図３の第２通信端末装置による音声データの受信手順を示すシーケンス図である。
【図９】図２の第１通信端末装置による音声データの生成手順を示すフローチャートである。
【図１０】図３の第２通信端末装置による通信環境悪化の検出手順を示すフローチャートである。
【図１１】図３の第２通信端末装置による音声データの受信手順を示すフローチャートである。
【図１２】本発明の実施例２に係る第１通信端末装置の構成を示す図である。
【図１３】本発明の実施例３に係る第１通信端末装置の構成を示す図である。
【図１４】本発明の実施例３に係る通信システムによる音声データの送信手順を示すシーケンス図である。
【図１５】本発明の実施例４に係る通信システムの構成を示す図である。
【図１６】図１５の通信端末装置の構成を示す図である。
【図１７】本発明の実施例５に係る第１通信端末装置の構成を示す図である。
【図１８】本発明の実施例５に係る第２通信端末装置の構成を示す図である。
【図１９】本発明の実施例５に係る通信システムによる音声データの送信手順を示すシーケンス図である。
【図２０】図１７の第１通信端末装置による音声データの送信手順を示すシーケンス図である。
【図２１】図１８の第２通信端末装置による音声データの受信手順を示すシーケンス図である。
【図２２】図１７の第１通信端末装置による音声データの生成手順を示すフローチャートである。
【図２３】図１８の第２通信端末装置による音声データの受信手順を示すフローチャートである。
【図２４】本発明の実施例６に係る通信システムによる音声データの送信手順を示すシーケンス図である。
【発明を実施するための形態】
【００１６】
（実施例１）
本発明を具体的に説明する前に、まず概要を述べる。本発明の実施例１は、業務用無線における通信端末装置に関する。業務用無線は、予め定められた無線ＣＨにおいて音声通信を実行する。音声通信の一例がＰＴＴ（Ｐｕｓｈ  ｔｏ  Ｔａｌｋ）である。ＰＴＴでは、ユーザが、会話中にボタンを押し、会話終了時にボタンを解放する。また、業務用無線では、複数の通信端末装置によってグループを形成することも可能である。業務用無線の基地局装置は、グループに対して、上りチャネルと下りチャネルを割り当てる。このような状況下において、グループ中の１つの通信端末装置が、上りチャネルにて信号を送信し、グループ中の他の通信端末装置が、下りチャネルにて信号を受信する。
【００１７】
業務用無線において通信環境が悪化すると、通信品質が悪化してしまうので、通話が困難になる。一方、業務用無線の使用用途を考慮すると、通話が確実になされることが必要とされる。これに対応するために本実施例に係る発信側の通信端末装置は、業務用無線にて音声データを送信するとともに、当該音声データをメモリに記憶する。その際、音声データは、時刻情報に対応づけられながらメモリに記憶される。受信側の通信端末装置は、音声データを受信して、これを再生するが、通信品質の悪化により音声の内容が不明確になると、要求信号を送信する。要求信号には、音声の内容が不明確になった時点を特定するための時刻情報が含まれる。発信側の通信端末装置は、要求信号を受信すると、要求信号に含まれた時刻情報をもとに、メモリから音声データを取得し、取得した音声データを送信する。時刻情報をもとに、メモリから取得すべき音声データが特定されるので、メモリに記憶された音声データをすべて送信する必要がなくなり、送信の効率が向上される。
【００１８】
図１は、本発明の実施例１に係る通信システム１００の構成を示す。通信システム１００は、通信端末装置１０と総称される第１通信端末装置１０ａ、第２通信端末装置１０ｂ、業務用無線用基地局装置２２と総称される第１業務用無線用基地局装置２２ａ、第２業務用無線用基地局装置２２ｂ、ネットワーク２４を含む。通信端末装置１０は、業務用無線による通信を実行可能な装置である。業務用無線については公知の技術が使用されればよいので、ここでは説明を省略する。ここでは、第１通信端末装置１０ａが業務用無線による音声通信の発信側に相当し、第２通信端末装置１０ｂが業務用無線による音声通信の受信側に相当するが、逆の関係であってもよい。
【００１９】
業務用無線用基地局装置２２は、業務用無線のシステムに対応した基地局装置である。業務用無線用基地局装置２２は、一端側において、業務用無線により通信端末装置１０に接続され、他端側において、ネットワーク２４に接続される。第１業務用無線用基地局装置２２ａと第２業務用無線用基地局装置２２ｂとは、異なった位置に設置される。ネットワーク２４は、第１業務用無線用基地局装置２２ａと第２業務用無線用基地局装置２２ｂとを接続する。このような接続によって、第１通信端末装置１０ａと第２通信端末装置１０ｂは、第１業務用無線用基地局装置２２ａ、ネットワーク２４、第２業務用無線用基地局装置２２ｂを介して、通信可能になる。
【００２０】
図２は、第１通信端末装置１０ａの構成を示す。第１通信端末装置１０ａは、業務用無線通信部３２、処理部３４、操作部３６、モニタ３８、マイク４０、スピーカ４２、記憶部４４、制御部４６を含む。処理部３４は、音声データ受付部３００、符号化部３０２、出力部３０４、付与部３０６、書込部３０８、要求信号受付部３１０、特定部３１２、取得部３１４を含む。第１通信端末装置１０ａは、業務用無線での発信を実行する。
【００２１】
業務用無線通信部３２は、業務用無線用基地局装置２２との間で業務用無線による通信を実行する。また、業務用無線通信部３２は、業務用無線用基地局装置２２を介して、他の通信端末装置１０との間で音声通信を実行する。通信端末装置１０における業務用無線通信部３２の特定は、無線ＣＨによってなされる。処理部３４は、業務用無線通信部３２による通信を制御する。特に、処理部３４は、業務用無線における通話処理を実行する。処理部３４は、後述の第２通信端末装置１０ｂと関連しながら処理を実行するので、その処理と合わせて後述する。
【００２２】
操作部３６は、ボタン、タッチパネル等によって構成されており、ユーザからの入力を受けつける。操作部３６は、受けつけた入力を処理部３４へ出力する。モニタ３８は、処理部３４からの画像、動画像、メッセージを受けつけ、それらを表示する。画面がタッチパネルである場合、モニタ３８は、操作部３６と一体的に構成される。マイク４０は、通話の際に、ユーザからの音声を受けつけ、音声を音声信号に変換する。マイク４０は、音声信号を処理部３４へ出力する。スピーカ４２は、通話の際に、処理部３４からの音声信号を受けつけ、音声信号を音声として出力する。なお、スピーカ４２は、警告音等を出力してもよい。記憶部４４は、音声データ、当該音声データに関連する情報等を記憶する。音声データに関連する情報については後述する。記憶部４４への書込、記憶部４４からの読出しは、処理部３４によってなされる。制御部４６は、第１通信端末装置１０ａの動作を制御する。
【００２３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２４】
図３は、第２通信端末装置１０ｂの構成を示す。第２通信端末装置１０ｂは、業務用無線通信部５２、処理部５４、操作部５６、モニタ５８、マイク６０、スピーカ６２、記憶部６４、制御部６６を含む。処理部５４は、検出部５００、要求信号出力部５０２を含む。第２通信端末装置１０ｂは、業務用無線での着信を実行する。業務用無線通信部５２から制御部６６は、図２の業務用無線通信部３２から制御部４６と同様であるので、ここでは説明を省略する。処理部５４は、前述の処理部３４と同様に、第１通信端末装置１０ａと関連しながら処理を実行するので、その処理と合わせて後述する。
【００２５】
以下では、第１通信端末装置１０ａにおける処理部３４、第２通信端末装置１０ｂにおける処理部５４の処理を説明する。第１通信端末装置１０ａの音声データ受付部３００は、操作部３６のＰＴＴボタンが押下げられた状態において、マイク４０から音声信号を受けつける。これは、送信対象となる音声データである。なお、音声データは、デジタル信号である。音声データ受付部３００は、受けつけた音声データを符号化部３０２へ出力する。符号化部３０２は、音声データ受付部３００からの音声データを受けつける。符号化部３０２は、音声データに対して符号化を実行する。符号化部３０２は、符号化した音声データ（以下、これもまた「音声データ」という）を出力部３０４、付与部３０６へ出力する。第１通信端末装置１０ａの出力部３０４は、符号化部３０２からの音声データを受けつけ、業務用無線通信部３２に音声データを送信させる。
【００２６】
第１通信端末装置１０ａの付与部３０６は、符号化部３０２から受けつけた音声データに対して時刻情報を付与する。ここでは、付与部３０６の処理を図４を使用しながら説明する。図４は、付与部３０６において付与される時刻情報を示す。上段は音声データを示す。付与部３０６は、音声データを時刻経過に応じて複数のブロックに分割する。ここでは、第１ブロック、第２ブロック、第３ブロック、第４ブロック、第Ｎブロックに分割されるが、第１ブロックが、音声データのうちの最初の時刻の部分に相当し、第Ｎブロックが、音声データのうちの最後の時刻の部分に相当する。付与部３０６は、分割した複数のブロックのそれぞれを特定するための時刻情報「Ａ」、「Ｂ」、「Ｃ」、「Ｄ」、「Ｎ」を生成する。
【００２７】
「Ａ」等は時刻を示しており、時刻情報は、各ブロックが生成された時刻、あるいは各ブロックを再生すべき時刻に相当する。なお、「Ａ」、「Ｂ」、「Ｃ」、「Ｄ」、「Ｎ」のそれぞれが時刻情報と呼ばれてもよいし、「Ａ」、「Ｂ」、「Ｃ」、「Ｄ」、「Ｎ」をまとめた情報が時刻情報と呼ばれてもよい。図３に戻る。付与部３０６は、時刻情報が付与された音声データを書込部３０８へ出力する。第１通信端末装置１０ａの書込部３０８は、付与部３０６から時刻情報と音声データとを受けつける。書込部３０８は、時刻情報と音声データとを記憶部４４に記憶させる。
【００２８】
第２通信端末装置１０ｂの処理部５４は、業務用無線通信部５２を介して、第１通信端末装置１０ａからの音声データを受けつける。処理部５４は、受けつけた音声データを復号し、復号した音声データを音声信号としてスピーカ６２から出力させる。このような状態において、処理部５４は、通話していることを示すメッセージをモニタ５８に表示させる。図５（ａ）−（ｃ）は、モニタ５８に表示される画面を示す。図５（ａ）は、「通話中」と示された画面を示す。図５（ｂ）−（ｃ）については後述する。図３に戻る。
【００２９】
第２通信端末装置１０ｂの検出部５００は、業務用無線通信部５２において受信した音声データであって、かつ第１通信端末装置１０ａからの音声データの品質が悪化していることを検出する。品質の悪化の検出には、公知の技術が使用されればよいので、ここでは説明を省略するが、品質の悪化は、スピーカ６２から出力される音声をユーザが聞き取ることが困難である状態を示す。
【００３０】
検出部５００は、品質の悪化を検出した時刻を取得する。検出部５００は、取得した時刻をもとに時刻情報を生成する。例えば、取得した時刻をそのまま時刻情報としてもよいし、第１通信端末装置１０ａから第２通信端末装置１０ｂへの伝搬遅延、第２通信端末装置１０ｂでの処理遅延を考慮して、取得した時刻を早くするように時刻情報が生成されてもよい。検出部５００は、品質の悪化を検出した場合、品質の悪化を要求信号出力部５０２に知らせるとともに、生成した時刻情報を要求信号出力部５０２に出力する。さらに、検出部５００は、品質の悪化を検出した場合に、品質が悪化していることを示すメッセージをモニタ５８に表示させる。図５（ｂ）は、その場合の画面であり、「音声が切れました。」とのメッセージが示された画面を示す。図３に戻る。
【００３１】
第２通信端末装置１０ｂの要求信号出力部５０２は、検出部５００から品質の悪化を知らされた場合、業務用無線通信部５２を介して、第１通信端末装置１０ａへ要求信号を送信させる。要求信号は、第１通信端末装置１０ａの記憶部４４に記憶した音声データの送信を要求するための信号である。また、要求信号には、検出部５００からの時刻情報が含められる。一方、要求信号出力部５０２は、ユーザの指示を受けつけてから要求信号を送信させてもよい。具体的に説明すると、要求信号出力部５０２は、検出部５００から品質の悪化を知らされ、かつ図５（ｂ）に示された「再生リクエスト」が操作部５６によって選択された場合に、要求信号を送信する。
【００３２】
第１通信端末装置１０ａの要求信号受付部３１０は、業務用無線通信部３２を介して、第２通信端末装置１０ｂからの要求信号を受けつける。要求信号受付部３１０は、要求信号を特定部３１２へ出力する。第１通信端末装置１０ａの特定部３１２は、要求信号受付部３１０からの要求信号に含まれた時刻情報を抽出する。特定部３１２は、時刻情報を取得部３１４へ出力する。なお、特定部３１２は、抽出した時刻情報の時刻を早くするように時刻情報を修正してもよい。その場合、特定部３１２は、修正した時刻情報（以下、これもまた「時刻情報」という）を取得部３１４に出力する。
【００３３】
第１通信端末装置１０ａの取得部３１４は、特定部３１２から時刻情報を取得すると、時刻情報をもとに特定したブロック以降の音声データを記憶部４４から取得する。時刻情報には、開始と終了の時刻情報も含む場合があり、その場合は、開始と終了の時刻情報に基づき音声データを取得すればよい。取得部３１４は、取得した音声信号を出力部３０４に出力する。第１通信端末装置１０ａの出力部３０４は、取得部３１４において取得した音声データを業務用無線通信部３２に送信させる。
【００３４】
第２通信端末装置１０ｂの処理部５４は、業務用無線通信部５２を介して、第１通信端末装置１０ａからの音声データを受けつける。処理部５４は、受けつけた音声データを復号し、復号した音声データを音声信号としてスピーカ６２から出力させる。このような状態において、処理部５４は、音声信号を再生していることを示すメッセージをモニタ５８に表示させる。図５（ｃ）は、その場合の画面であり、「リクエスト再生中」とのメッセージが示された画面を示す。
【００３５】
以上の構成による通信システム１００の動作を説明する。図６は、通信システム１００による音声データの送信手順を示すシーケンス図である。第１通信端末装置１０ａは、第２通信端末装置１０ｂへ音声データを送信する（Ｓ１０）。第１通信端末装置１０ａは、音声データと時刻情報とを記憶する（Ｓ１２）。第１通信端末装置１０ａは、第２通信端末装置１０ｂへ音声データを送信する（Ｓ１４）。第２通信端末装置１０ｂは、通信環境の悪化を検出し、時刻情報を特定する（Ｓ１６）。第２通信端末装置１０ｂは、第１通信端末装置１０ａへ要求信号を送信する（Ｓ１８）。第１通信端末装置１０ａは、要求信号に含まれた時刻情報をもとに音声データを取得する（Ｓ２０）。第１通信端末装置１０ａは、第２通信端末装置１０ｂへ、記憶していた音声データを送信する（Ｓ２２）。
【００３６】
図７は、第１通信端末装置１０ａによる音声データの送信手順を示すシーケンス図である。操作部３６は、ＰＴＴボタンの押下を受けつける（Ｓ４０）。操作部３６は、符号化部３０２に開始イベントを発行する（Ｓ４２）。符号化部３０２は、業務用無線通信部３２へ音声データを出力し（Ｓ４４）、記憶部４４へ記憶のタイミングを通知する（Ｓ４６）。これにより、記憶部４４は、音声データを記憶する。業務用無線通信部３２は、音声データを送信する（Ｓ４８）。符号化部３０２は、業務用無線通信部３２へ音声データを出力し（Ｓ５０）、記憶部４４へ記憶のタイミングを通知する（Ｓ５２）。業務用無線通信部３２は、音声データを送信する（Ｓ５４）。
【００３７】
操作部３６は、ＰＴＴボタンの解放を受けつける（Ｓ５６）。操作部３６は、符号化部３０２に停止イベントを発行する（Ｓ５８）。業務用無線通信部３２は、要求信号を受信する（Ｓ６０）。業務用無線通信部３２は、取得部３１４へ要求を出力する（Ｓ６２）。取得部３１４は、記憶部４４に音声データを要求し（Ｓ６４）、記憶部４４から音声データを取得する（Ｓ６６）。取得部３１４は、業務用無線通信部３２へ音声データを出力する（Ｓ６８）。業務用無線通信部３２は、音声データを送信する（Ｓ７０）。
【００３８】
図８は、第２通信端末装置１０ｂによる音声データの受信手順を示すシーケンス図である。業務用無線通信部５２は、音声データを受信する（Ｓ９０）。業務用無線通信部５２において受信した音声データに対して、通信環境の悪化が検出される（Ｓ９２）。悪化が検出されると、モニタ５８へ悪化通知がなされる（Ｓ９４）。モニタ５８は、悪化を表示する（Ｓ９６）。操作部５６には、再生要求が入力される（Ｓ９８）。操作部５６は、業務用無線通信部５２に再生要求を出力し（Ｓ１００）、業務用無線通信部５２は、要求信号を送信する（Ｓ１０２）。業務用無線通信部５２は、記憶していた音声データを受信する（Ｓ１０４）。業務用無線通信部５２は、モニタ５８に再生通知を出力し（Ｓ１０６）、モニタ５８は、再生していることを表示する（Ｓ１０８）。
【００３９】
図９は、第１通信端末装置１０ａによる音声データの生成手順を示すフローチャートである。操作部３６がＰＴＴボタンの押下を受けつけた場合（Ｓ１２０のＹ）、開始イベントが発行される（Ｓ１２２）。出力部３０４は、業務用無線通信部３２に音声データを送信させ、書込部３０８は、記憶部４４に音声データを記憶させる（Ｓ１２４）。操作部３６がＰＴＴボタンの解放を受けつけない場合（Ｓ１２６のＮ）、ステップ１２４に戻る。操作部３６がＰＴＴボタンの解放を受けつけた場合（Ｓ１２６のＹ）、停止イベントが発行される（Ｓ１２８）。操作部３６がＰＴＴボタンの押下を受けつけない場合（Ｓ１２０のＮ）、ステップ１２２からステップ１２８がスキップされる。
【００４０】
図１０は、第２通信端末装置１０ｂによる通信環境悪化の検出手順を示すフローチャートである。検出部５００が通信環境の悪化を検出すると（Ｓ１４０のＹ）、悪化通知が発行される（Ｓ１４２）。検出部５００が通信環境の悪化を検出しない場合（Ｓ１４０のＮ）、ステップ１４２はスキップされる。
【００４１】
図１１は、第２通信端末装置１０ｂによる音声データの受信手順を示すフローチャートである。悪化通知が発行される（Ｓ１６０）。モニタ５８は、表示を更新する（Ｓ１６２）。操作部５６が再生要求を受けつける（Ｓ１６４）と、再生要求が発行される（Ｓ１６６）。業務用無線通信部５２は、要求信号を送信する（Ｓ１６８）。業務用無線通信部５２が音声データを受信する（Ｓ１７０）と、再生通知が発行される（Ｓ１７２）。
【００４２】
本実施例によれば、時刻情報とともに音声データを記憶し、受信した要求信号に含まれた時刻情報をもとに音声データを取得するので、必要とされる音声データを効率的に送信できる。また、時刻情報をもとに音声データが特定されるので、２つの通信端末装置の間で共通のタイミングを使用できる。また、時刻情報をもとに記憶された音声データが特定されるので、音声データの通信が困難になる場合であっても、音声データの内容を確認できる。また、通信環境が悪化した場合でも、記憶した音声データの送信を要求するので、重要な情報を残らず取得して再生できる。
【００４３】
（実施例２）
次に、実施例２を説明する。本発明の実施例２も、実施例１と同様に、業務用無線における通信端末装置に関する。実施例１においては、音声データの時刻経過を特定するために時刻情報を使用している。一方、実施例２においては、音声データの時刻経過を特定するためにナンバリング情報を使用する。ナンバリング情報は、一定の間隔で１ずつ加算することによって生成される情報である。実施例２に係る通信システム、第２通信端末装置１０ｂは、図１、図３と同様のタイプである。ここでは、これまでとの差異を中心に説明する。
【００４４】
図１２は、本発明の実施例２に係る第１通信端末装置１０ａの構成を示す。処理部３４に含まれる構成要素は、図２と同様であるが、構成要素間の接続関係が図２とは異なる。業務用無線通信部３２から制御部４６は、図２と同様であるので、ここでは説明を省略する。以下では、第１通信端末装置１０ａにおける処理部３４、第２通信端末装置１０ｂにおける処理部５４の処理を説明する。
【００４５】
符号化部３０２は、符号化した音声データ（以下、これもまた「音声データ」という）を付与部３０６へ出力する。第１通信端末装置１０ａの付与部３０６は、符号化部３０２から受けつけた音声データに対してナンバリング情報を付与する。付与部３０６は、実施例１と同様に、音声データを時刻経過に応じて複数のブロックに分割する。また、付与部３０６は、分割した複数のブロックのそれぞれを特定するためのナンバリング情報を生成する。具体的に説明すると、付与部３０６は、時刻経過に応じて並べられた複数のブロックに対して、前のブロックから後のブロックに移るときに「１」加算されるように、ナンバリング情報を生成する。つまり、ナンバリング情報では、後のブロックになるほど値が大きくなる。付与部３０６は、ナンバリング情報が付与された音声データを出力部３０４、書込部３０８へ出力する。
【００４６】
第１通信端末装置１０ａの出力部３０４は、付与部３０６から、ナンバリング情報と音声データとを受けつけ、ナンバリング情報と音声データとを業務用無線通信部３２に送信させる。第１通信端末装置１０ａの書込部３０８は、付与部３０６から、ナンバリング情報と音声データとを受けつける。書込部３０８は、ナンバリング情報と音声データとを記憶部４４に記憶させる。
【００４７】
第２通信端末装置１０ｂの処理部５４は、業務用無線通信部５２を介して、第１通信端末装置１０ａからの音声データとナンバリング情報とを受けつける。処理部５４は、受けつけた音声データを復号し、復号した音声データを音声信号としてスピーカ６２から出力させる。
【００４８】
第２通信端末装置１０ｂの検出部５００は、業務用無線通信部５２において受信した音声データであって、かつ第１通信端末装置１０ａからの音声データの品質が悪化していることを検出する。検出部５００は、品質の悪化を検出したときのナンバリング情報を特定する。この特定の代わりに、品質の悪化が検出される前のナンバリング情報に「１」以上の値を加算することによって、ナンバリング情報が導出されてもよい。さらに、検出部５００は、第１通信端末装置１０ａから第２通信端末装置１０ｂへの伝搬遅延、第２通信端末装置１０ｂでの処理遅延を考慮して、ナンバリング情報から所定の値を減算してもよい。検出部５００は、品質の悪化を検出した場合、品質の悪化を要求信号出力部５０２に知らせるとともに、ナンバリング情報を要求信号出力部５０２に出力する。
【００４９】
第２通信端末装置１０ｂの要求信号出力部５０２は、検出部５００から品質の悪化を知らされた場合、業務用無線通信部５２を介して、第１通信端末装置１０ａへ要求信号を送信させる。また、要求信号には、検出部５００からのナンバリング情報が含められる。
【００５０】
第１通信端末装置１０ａの要求信号受付部３１０は、業務用無線通信部３２を介して、第２通信端末装置１０ｂからの要求信号を受けつけ、要求信号を特定部３１２へ出力する。第１通信端末装置１０ａの特定部３１２は、要求信号受付部３１０からの要求信号に含まれたナンバリング情報を抽出し、ナンバリング情報を取得部３１４へ出力する。第１通信端末装置１０ａの取得部３１４は、特定部３１２からナンバリング情報を取得すると、ナンバリング情報をもとに特定したブロック以降の音声データを記憶部４４から取得する。取得部３１４は、取得した音声信号を出力部３０４に出力する。
【００５１】
本実施例によれば、ナンバリング情報とともに音声データを記憶し、受信した要求信号に含まれたナンバリング情報をもとに音声データを取得するので、必要とされる音声データを効率的に送信できる。また、ナンバリング情報をもとに音声データが特定されるので、２つの通信端末装置の間で共通のタイミングを使用できる。また、ナンバリング情報をもとに記憶された音声データが特定されるので、音声データの通信が困難になる場合であっても、音声データの内容を確認できる。また、時刻情報の代わりにナンバリング情報が生成されるので、音声データを構成するブロックを特定するための情報の自由度を向上できる。
【００５２】
（実施例３）
次に、実施例３を説明する。本発明の実施例３も、これまでと同様に、業務用無線における通信端末装置に関する。これまでの第１通信端末装置は、音声データを送信するとともに、音声データを記憶部に記憶する。一方、実施例３における第１通信端末装置は、通信環境の悪化を検知してから、音声データを記憶部に記憶する。このように、第１通信端末装置は、業務用無線の通信環境が悪化した期間の音声データを記憶しておき、通信環境が回復して、第２通信端末装置１０ｂからの要求信号を受信した場合に、記憶した通話内容を業務用無線で送信する。実施例３に係る通信システム、第２通信端末装置は、図１、図３と同様のタイプである。ここでは、これまでとの差異を中心に説明する。
【００５３】
図１３は、本発明の実施例３に係る第１通信端末装置１０ａの構成を示す。第１通信端末装置１０ａは、業務用無線通信部３２、処理部３４、操作部３６、モニタ３８、マイク４０、スピーカ４２、記憶部４４、制御部４６、検知部４８を含む。業務用無線通信部３２から制御部４６は、図２と同様であるので、ここでは説明を省略する。以下では、第１通信端末装置１０ａにおける処理部３４、第２通信端末装置１０ｂにおける処理部５４の処理を説明する。
【００５４】
第１通信端末装置１０ａの検知部４８は、業務用無線通信部３２に接続され、業務用無線通信部３２において受信した信号、例えば音声データの品質を測定する。品質の測定には公知の技術が使用されればよいが、例えば、検出部５００と同様になされる。検知部４８は、測定した品質がしきい値よりも悪化している場合に、業務用無線通信部３２において使用される通信環境の悪化を検知する。検知部４８は、通信環境の悪化を検知した場合に、悪化を書込部３０８に通知する。また、検知部４８は、悪化した通信環境が改善した場合も、改善を書込部３０８に通知する。このような悪化の通知、改善の通知によって、書込部３０８に対して、悪化した期間が通知される。
【００５５】
第１通信端末装置１０ａの書込部３０８は、検知部４８からの通知を受けつけた場合、つまり検知部４８が通信環境の悪化を検知した場合に、記憶部４４への時刻情報と音声データとの記憶を開始する。また、書込部３０８は、検知部４８からの改善を受けつけた場合、つまり検知部４８が通信環境の改善を検知した場合に、記憶部４４への時刻情報と音声データとの記憶を停止する。その結果、書込部３０８は、悪化した期間にわたって、時刻情報と音声データとを記憶部４４に記憶させる。なお、時刻情報の代わりにナンバリング情報が記憶部４４に記憶されてもよく、時刻情報とナンバリング情報が記憶部４４に記憶されなくてもよい。これに続く、第１通信端末装置１０ａと第２通信端末装置１０ｂとの処理は、これまでと同様である。
【００５６】
図１４は、本発明の実施例３に係る通信システム１００による音声データの送信手順を示すシーケンス図である。第１通信端末装置１０ａは、第２通信端末装置１０ｂへ音声データを送信する（Ｓ１９０、Ｓ１９２）。第１通信端末装置１０ａは、通信環境の悪化を検出する（Ｓ１９４）。第１通信端末装置１０ａは、音声データを記憶する（Ｓ１９６）。第１通信端末装置１０ａは、第２通信端末装置１０ｂへ音声データを送信する（Ｓ１９８）。第２通信端末装置１０ｂは、通信環境の悪化を検知する（Ｓ２００）。第２通信端末装置１０ｂは、第１通信端末装置１０ａへ要求信号を送信する（Ｓ２０２）。第１通信端末装置１０ａは、音声データを取得する（Ｓ２０４）。第１通信端末装置１０ａは、第２通信端末装置１０ｂへ、記憶していた音声データを送信する（Ｓ２０６）。
【００５７】
本実施例によれば、通信環境が悪化した場合に音声データを記憶するので、後に送信する必要性が高い音声データを記憶できる。また、後に送信する必要性が高い音声データが記憶されるので、音声データを効率的に記憶できる。また、音声データが効率的に記憶されるので、記憶部に必要とされる記憶容量を低減できる。
【００５８】
（実施例４）
次に、実施例４を説明する。本発明の実施例４も、これまでと同様に、業務用無線における通信端末装置に関するが、業務用無線とは異なる他の無線通信も実行する。他の無線通信は、携帯通信であり、携帯通信は、ＬＴＥ（Ｌｏｎｇ  Ｔｅｒｍ  Ｅｖｏｌｕｔｉｏｎ）、ＷｉＦｉ（登録商標）（Ｗｉｒｅｌｅｓｓ  Ｆｉｄｅｌｉｔｙ）などのＩＰ通信であるが、これら以外にもＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等の無線ＭＡＮ（Ｍｅｔｒｏｐｏｌｉｔａｎ  Ａｒｅａ  Ｎｅｔｗｏｒｋ）を含んでもよい。これは、ＴＣＰ（Ｔｒａｎｓｍｉｓｓｉｏｎ  Ｃｏｎｔｒｏｌ  Ｐｒｏｔｏｃｏｌ）／ＩＰやその上下のレイヤを利用して通信する。携帯通信は、音声通信、データ通信を実行する。
【００５９】
本実施例に係る通信端末装置は、受けつけた音声データを業務用無線にて送信する。一方、通信端末装置は、記憶部から取得した音声データを携帯通信にて送信する。記憶部から取得した音声データの送信は、業務用無線の通信環境が悪化した場合に発生する。その際、記憶部から取得した音声データを携帯通信にて送信するので、音声データを正確に送信できる可能性を向上できる。
【００６０】
図１５は、本発明の実施例４に係る通信システム１００の構成を示す。通信システム１００は、通信端末装置１０と総称される第１通信端末装置１０ａ、第２通信端末装置１０ｂ、携帯通信用基地局装置１２と総称される第１携帯通信用基地局装置１２ａ、第２携帯通信用基地局装置１２ｂ、交換局１４、ＰＳＴＮ（Ｐｕｂｌｉｃ  Ｓｗｉｔｃｈｅｄ  Ｔｅｌｅｐｈｏｎｅ  Ｎｅｔｗｏｒｋｓ）１６、インターネット１８、サーバ装置２０、業務用無線用基地局装置２２と総称される第１業務用無線用基地局装置２２ａ、第２業務用無線用基地局装置２２ｂ、ネットワーク２４を含む。
【００６１】
通信端末装置１０は、携帯通信と業務用無線による通信を実行可能な装置である。携帯通信については公知の技術が使用されればよいので、ここでは説明を省略する。携帯通信用基地局装置１２は、携帯通信のシステムに対応した基地局装置である。携帯通信用基地局装置１２は、一端側において、携帯通信により通信端末装置１０に接続され、他端側において、交換局１４に接続される。第１携帯通信用基地局装置１２ａと第２携帯通信用基地局装置１２ｂとは、異なった位置に設置される。交換局１４は、携帯通信を制御する。交換局１４は、ＰＳＴＮ１６、インターネット１８にも接続される。交換局１４での制御によって、第１通信端末装置１０ａと第２通信端末装置１０ｂとが、第１携帯通信用基地局装置１２ａ、交換局１４、第２携帯通信用基地局装置１２ｂを介して通信可能になる。また、通信端末装置１０は、携帯通信用基地局装置１２、交換局１４を介して、ＰＳＴＮ１６やインターネット１８と通信可能である。
【００６２】
ＰＳＴＮ１６は、加入電話回線ネットワークであり、回線交換方式による音声通話を実行する。インターネット１８は、ＩＰ通信により主にデータ通信を実行する。サーバ装置２０は、インターネット１８に接続され、インターネット１８、交換局１４、携帯通信用基地局装置１２を介して通信端末装置１０との通信を実行する。通信端末装置１０は、携帯通信用基地局装置１２、交換局１４、インターネット１８を介してサーバ装置２０にアクセス可能である。
【００６３】
図１６は、通信端末装置１０の構成を示す。通信端末装置１０は、携帯通信部７０、業務用無線通信部７２、処理部７４、操作部７６、モニタ７８、マイク８０、スピーカ８２、記憶部８４、制御部８６を含む。業務用無線通信部７２から制御部８６は、図２の業務用無線通信部３２から制御部４６、図３の業務用無線通信部５２から制御部６６に対応する。つまり、図１６は、送信側の機能と受信側の機能とを含む形で示される。
【００６４】
携帯通信部７０は、携帯通信用基地局装置１２との間で携帯通信による通信を実行する。また、携帯通信部７０は、携帯通信用基地局装置１２、交換局１４を介して、他の通信端末装置１０、ＰＳＴＮ１６、インターネット１８、サーバ装置２０と通信する。通信端末装置１０における携帯通信部７０の特定は、例えば、ＩＰアドレスによってなされる。なお、携帯通信部７０における携帯通信が第１通信方式と呼ばれる場合、業務用無線通信部７２における業務用無線は第２通信方式と呼ばれる。
【００６５】
処理部７４は、送信処理として図２の処理部３４と同様の処理を実行し、受信処理として図３の処理部５４と同様の処理を実行する。送信処理において、処理部７４は、受けつけた音声データを送信する際に業務用無線通信部７２を使用する。また、処理部７４は、要求信号を受信する際に、携帯通信部７０を使用する。さらに、処理部７４は、記憶部８４から取得した音声データを送信する際に携帯通信部７０を使用する。一方、受信処理において、処理部７４は、受けつけた音声データを受信する際に、業務用無線通信部７２を使用する。また、処理部７４は、要求信号を送信する際に、携帯通信部７０を使用する。さらに、処理部７４は、記憶部８４から取得した音声データを受信する際に携帯通信部７０を使用する。
【００６６】
本実施例によれば、受けつけた音声データを業務用無線にて送信し、記憶部から取得した音声データを携帯通信にて送信するので、取得した音声データを正確に送信できる可能性を向上できる。
【００６７】
（実施例５）
次に、実施例５を説明する。実施例５は、実施例４と同様に、業務用無線と携帯通信という２つの通信方式に対応した通信システムに関する。実施例４では、通信環境に応じて業務用無線と携帯通信とを切りかえて使用している。一方、実施例５では、第１通信端末装置を駆動しているバッテリの残量に応じて業務用無線と携帯通信とを切りかえて使用する。これの前提として、携帯通信での送信電力は、業務用無線での送信電力よりも小さい。業務用無線で音声データを送信しているときにバッテリの残量が少なくなると、業務用無線による送信ができなくなる。実施例４では、そのような場合でも音声データを送信することを目的とする。実施例５に係る通信システムは、図１５と同様のタイプである。ここでは、これまでとの差異を中心に説明する。
【００６８】
図１７は、本発明の実施例５に係る第１通信端末装置１０ａの構成を示す。第１通信端末装置１０ａは、携帯通信部３０、業務用無線通信部３２、処理部３４、操作部３６、モニタ３８、マイク４０、スピーカ４２、記憶部４４、制御部４６を含む。処理部３４は、図２での処理部３４に対して、測定部３１６、停止部３１８をさらに含む。携帯通信部３０は、図１６の携帯通信部７０と同様であり、業務用無線通信部３２から制御部４６は、図２と同様であるので、ここでは説明を省略する。処理部３４は、第２通信端末装置１０ｂと関連しながら処理を実行するので、その処理と合わせて後述する。
【００６９】
図１８は、本発明の実施例５に係る第２通信端末装置１０ｂの構成を示す。第２通信端末装置１０ｂは、携帯通信部５０、業務用無線通信部５２、処理部５４、操作部５６、モニタ５８、マイク６０、スピーカ６２、記憶部６４、制御部６６を含む。処理部５４は、図３と同様に構成される。携帯通信部５０は、図１６の携帯通信部７０と同様であり、業務用無線通信部５２から制御部６６は、図３と同様であるので、ここでは説明を省略する。処理部５４は、第１通信端末装置１０ａと関連しながら処理を実行するので、その処理と合わせて後述する。
【００７０】
以下では、第１通信端末装置１０ａにおける処理部３４、第２通信端末装置１０ｂにおける処理部５４の処理を説明する。第１通信端末装置１０ａの出力部３０４は、符号化部３０２からの音声データを受けつけ、業務用無線通信部３２に音声データを送信させる。そのため、音声データは、業務用無線にて送信される。第１通信端末装置１０ａの書込部３０８は、付与部３０６から時刻情報と音声データとを受けつけ、時刻情報と音声データとを記憶部４４に記憶させる。なお、付与部３０６が時刻情報ではなくナンバリング情報を生成する場合、書込部３０８は、ナンバリング情報と音声データとを受けつけ、ナンバリング情報と音声データとを記憶部４４に記憶させる。その際、出力部３０４は、業務用無線通信部３２にナンバリング情報と音声データとを送信させる。さらに、付与部３０６が省略されることによって、時刻情報、ナンバリング情報が生成されてなくてもよい。その場合、書込部３０８は、音声データを記憶部４４に記憶させ、出力部３０４は、音声データを業務用無線通信部３２に送信させる。
【００７１】
第１通信端末装置１０ａの測定部３１６は、第１通信端末装置１０ａを駆動させているバッテリ（図示せず）の残量を測定する。残量の測定には公知の技術が使用されればよいので、ここでは説明を省略する。測定した残量がしきい値以上である場合、符号化部３０２において、一定量の音声データに対する符号化が完了すると、符号化部３０２から符号化完了通知が出力され、符号化された音声データが業務用無線通信部３２へ出力される。測定部３１６は、残量がしきい値よりも少なくなった場合、残量が少ないことをモニタ３８に表示させる。これにより、バッテリの残量が少ないことがユーザに通知される。
【００７２】
また、測定部３１６は、残量がしきい値よりも少なくなった場合、残量が少ないことを停止部３１８に通知する。第１通信端末装置１０ａの停止部３１８は、測定部３１６からの通知を受けつけると、業務用無線通信部３２に対して音声データの送信を停止させる。その結果、業務用無線通信部３２は、業務用無線による音声データの送信を停止する。
【００７３】
第２通信端末装置１０ｂの処理部５４は、業務用無線通信部５２を介して、業務用無線により第１通信端末装置１０ａからの音声データを受けつける。処理部５４は、音声データの受信を開始すると、音声受信開始通知を検出部５００に出力する。また、処理部５４は、通話が終了するタイミングにおいて、業務用無線通信部５２を介して、第１通信端末装置１０ａからの終話通知を受けつけ、終話通知を検出部５００に出力する。
【００７４】
第２通信端末装置１０ｂの検出部５００は、音声受信開始通知を受けつけると、終話待ちタイマを開始する。通常は、音声受信開始通知の出力タイミングから終話通知の出力タイミングの間において、音声受信処理が実行されるが、第１通信端末装置１０ａが送信を停止した場合、第２通信端末装置１０ｂにおいて終話通知を受信しない場合がある。その場合、音声受信処理を停止する条件がみつからなくなる。この状況を検出するために、終話待ちタイマが使用される。終話待ちタイマは、時刻経過とともにカウントを増加させるが、音声データを受信するごとにカウントをリセットする。そのため、音声データが受信されない期間が継続すると、カウントが増加し、ある設定値を超過するとタイムオーバーになる。検出部５００は、終話待ちタイマがタイムオーバーしたことを検出した場合、つまり音声データの未受信期間が所定期間よりも長い場合、そのことを要求信号出力部５０２に通知する。
【００７５】
第２通信端末装置１０ｂの要求信号出力部５０２は、検出部５００からタイムオーバーを通知された場合、携帯通信部５０を介して、携帯通信により第１通信端末装置１０ａへ要求信号を送信させる。要求信号はこれまでと同様に構成されればよい。検出部５００は、終話待ちタイマがタイムオーバーしたことを検出すると、終話通知を受信することなく音声受信が終了したことをユーザに知らせるための画面をモニタ５８に表示させる。この画面は、例えば、図５（ｂ）と同様であってもよい。また、図５（ｂ）に示された「再生リクエスト」が操作部５６によって選択された場合に、要求信号出力部５０２は、携帯通信部５０を介して、携帯通信により第１通信端末装置１０ａへ要求信号を送信させてもよい。
【００７６】
第１通信端末装置１０ａの要求信号受付部３１０は、業務用無線通信部３２が音声データの送信を停止した場合、携帯通信部３０を介して、携帯通信により第２通信端末装置１０ｂからの要求信号を受けつける。要求信号を受けつけると、第１通信端末装置１０ａの出力部３０４は、取得部３１４において取得した音声データを携帯通信部３０に送信させる。つまり、音声データは携帯通信により送信される。第２通信端末装置１０ｂの処理部５４は、送信した要求信号に応答して、携帯通信部５０を介して、携帯通信により第１通信端末装置１０ａからの音声データを受けつける。
【００７７】
図１９は、本発明の実施例５に係る通信システム１００による音声データの送信手順を示すシーケンス図である。第１通信端末装置１０ａは、第２通信端末装置１０ｂへ音声データを業務用無線にて送信する（Ｓ２２０）。第１通信端末装置１０ａは、音声データと時刻情報とを記憶する（Ｓ２２２）。第１通信端末装置１０ａは、バッテリ残量がしきい値より少なくなったことを検出する（Ｓ２２４）と、業務用無線を停止する（Ｓ２２６）。第２通信端末装置１０ｂは、業務用無線の停止を検出する（Ｓ２２８）。第２通信端末装置１０ｂは、第１通信端末装置１０ａへ要求信号を携帯通信にて送信する（Ｓ２３０）。第１通信端末装置１０ａは、時刻情報をもとに音声データを取得する（Ｓ２３２）。第１通信端末装置１０ａは、第２通信端末装置１０ｂへ音声データを携帯通信にて送信する（Ｓ２３４）。
【００７８】
図２０は、本発明の実施例５に係る第１通信端末装置１０ａによる音声データの送信手順を示すシーケンス図である。操作部３６は、ＰＴＴボタンの押下を受けつける（Ｓ２５０）。操作部３６は、符号化部３０２に開始イベントを発行する（Ｓ２５２）。符号化部３０２は、業務用無線通信部３２へ音声データを出力し（Ｓ２５４）、記憶部４４へ記憶のタイミングを通知する（Ｓ２５６）。これにより、記憶部４４は、音声データを記憶する。業務用無線通信部３２は、音声データを送信する（Ｓ２５８）。符号化部３０２は、業務用無線通信部３２へ音声データを出力し（Ｓ２６０）、記憶部４４へ記憶のタイミングを通知する（Ｓ２６２）。業務用無線通信部３２は、音声データを送信する（Ｓ２６４）。
【００７９】
停止部３１８は、残量低下が検出されると（Ｓ２６６）、符号化部３０２に停止指示を出力し（Ｓ２６８）、業務用無線通信部３２に停止指示を出力する（Ｓ２７０）。符号化部３０２は、記憶部４４へ記憶のタイミングを通知する（Ｓ２７２）。操作部３６は、ＰＴＴボタンの解放を受けつける（Ｓ２７４）。操作部３６は、符号化部３０２に停止イベントを発行する（Ｓ２７６）。携帯通信部３０は、要求信号を受信する（Ｓ２７８）。携帯通信部３０は、取得部３１４へ要求を出力する（Ｓ２８０）。取得部３１４は、記憶部４４に音声データを要求し（Ｓ２８２）、記憶部４４から音声データを取得する（Ｓ２８４）。取得部３１４は、携帯通信部３０へ音声データを出力する（Ｓ２８６）。携帯通信部３０は、音声データを送信する（Ｓ２８８）。
【００８０】
図２１は、本発明の実施例５に係る第２通信端末装置１０ｂによる音声データの受信手順を示すシーケンス図である。業務用無線通信部５２は、音声データを受信する（Ｓ３００）。業務用無線通信部５２において非受信が検出される（Ｓ３０２）。非受信が検出されると、モニタ５８へ非受信通知がなされる（Ｓ３０４）。モニタ５８は、非受信を表示する（Ｓ３０６）。操作部５６には、再生要求が入力される（Ｓ３０８）。操作部５６は、携帯通信部５０に再生要求を出力し（Ｓ３１０）、携帯通信部５０は、要求信号を送信する（Ｓ３１２）。携帯通信部５０は、記憶していた音声データを受信する（Ｓ３１４）。携帯通信部５０は、モニタ５８に再生通知を出力し（Ｓ３１６）、モニタ５８は、再生していることを表示する（Ｓ３１８）。
【００８１】
図２２は、本発明の実施例５に係る第１通信端末装置１０ａによる音声データの生成手順を示すフローチャートである。操作部３６がＰＴＴボタンの押下を受けつけた場合（Ｓ３３０のＹ）、開始イベントが発行される（Ｓ３３２）。測定部３１６において残量がしきい値より少なければ（Ｓ３３４のＹ）、停止部３１８は、業務用無線通信部３２を停止させる（Ｓ３３６）。測定部３１６において残量がしきい値より少なくなければ（Ｓ３３４のＮ）、出力部３０４は、業務用無線通信部３２に音声データを送信させる（Ｓ３３８）。これに続いて、書込部３０８は、記憶部４４に音声データを記憶させる（Ｓ３４０）。操作部３６がＰＴＴボタンの解放を受けつけない場合（Ｓ３４２のＮ）、ステップ３３４に戻る。操作部３６がＰＴＴボタンの解放を受けつけた場合（Ｓ３４２のＹ）、停止イベントが発行される（Ｓ３４４）。操作部３６がＰＴＴボタンの押下を受けつけない場合（Ｓ３３０のＮ）、ステップ３３２からステップ３４４がスキップされる。
【００８２】
図２３は、本発明の実施例５に係る第２通信端末装置１０ｂによる音声データの受信手順を示すフローチャートである。終話待ち超過通知が発行される（Ｓ３６０）。モニタ５８は、表示を更新する（Ｓ３６２）。操作部５６が再生要求を受けつける（Ｓ３６４）と、再生要求が発行される（Ｓ３６６）。携帯通信部５０は、要求信号を送信する（Ｓ３６８）。携帯通信部５０が音声データを受信する（Ｓ３７０）と、再生通知が発行される（Ｓ３７２）。
【００８３】
本実施例によれば、携帯通信での送信電力が業務用無線での送信電力よりも小さいので、業務用無線を使用しているときのバッテリ残量が少なくなっても、携帯通信を使用することによって、バッテリで通信を実行している期間を長くできる。また、バッテリ残量が少なくなると、記憶した音声データを携帯通信にて送信するので、業務用無線で送信できなかった音声データを送信できる。また、残量低下に伴い、音声データの送信は停止するが、ＰＴＴ押下中に第１通信端末装置のユーザが話した音声は記憶部に記憶されるので、後から第２通信端末装置のユーザはその記録された音声を聞くことができる。
【００８４】
（実施例６）
次に、実施例６を説明する。実施例６は、実施例５と同様に、業務用無線と携帯通信という２つの通信方式に対応した通信システムに関する。ここでも、バッテリの残量が少なくなることによって、業務用無線による送信ができなくなる場合でも音声データを送信することを目的とし、第１通信端末装置を駆動しているバッテリの残量に応じて業務用無線と携帯通信とを切りかえて使用する。実施例５では、第１通信端末装置における業務用無線の送信停止を第２通信端末装置が検出している。一方、実施例６では、第１通信端末装置は、業務用無線による音声データの送信を停止する場合に、送信停止を送信する。第２通信端末装置は、送信停止を受信することによって、第１通信端末装置における業務用無線の送信停止を認識する。実施例６に係る通信システム、第１通信端末装置、第２通信端末装置は、図１５、図１７、図１８と同様のタイプである。ここでは、これまでとの差異を中心に説明する。
【００８５】
以下では、第１通信端末装置１０ａにおける処理部３４、第２通信端末装置１０ｂにおける処理部５４の処理を説明する。第１通信端末装置１０ａの停止部３１８は、測定部３１６からの通知を受けつけると、業務用無線通信部３２に対して音声データの送信を停止させる。その結果、業務用無線通信部３２は、業務用無線による音声データの送信を停止する。また、停止部３１８は、携帯通信部３０あるいは業務用無線通信部３２に対して送信停止を送信させる。送信停止は、第２通信端末装置１０ｂに対して、業務用無線通信部３２による送信が停止したことを通知するための信号である。
【００８６】
第２通信端末装置１０ｂの処理部５４は、業務用無線通信部５２を介して、業務用無線により第１通信端末装置１０ａからの音声データを受けつける。第２通信端末装置１０ｂの検出部５００は、第１通信端末装置１０ａにおいて業務用無線による音声データの送信が停止された場合に、携帯通信部５０あるいは業務用無線通信部５２を介して、送信停止を受けつける。携帯通信部５０は、送信停止を受けつけた場合に、送信停止を要求信号出力部５０２に通知する。第２通信端末装置１０ｂの要求信号出力部５０２は、検出部５００から送信停止を通知された場合、携帯通信部５０を介して、携帯通信により第１通信端末装置１０ａへ要求信号を送信させる。これに続く処理は、これまでと同様である。
【００８７】
図２４は、本発明の実施例６に係る通信システム１００による音声データの送信手順を示すシーケンス図である。第１通信端末装置１０ａは、第２通信端末装置１０ｂへ音声データを業務用無線にて送信する（Ｓ３９０）。第１通信端末装置１０ａは、音声データと時刻情報とを記憶する（Ｓ３９２）。第１通信端末装置１０ａは、バッテリ残量がしきい値より少なくなったことを検出する（Ｓ３９４）と、業務用無線を停止する（Ｓ３９６）。第１通信端末装置１０ａは、第２通信端末装置１０ｂへ送信停止を携帯通信にて通知する（Ｓ３９８）。第２通信端末装置１０ｂは、第１通信端末装置１０ａへ要求信号を携帯通信にて送信する（Ｓ４００）。第１通信端末装置１０ａは、時刻情報をもとに音声データを取得する（Ｓ４０２）。第１通信端末装置１０ａは、第２通信端末装置１０ｂへ音声データを携帯通信にて送信する（Ｓ４０４）。
【００８８】
本実施例によれば、携帯通信での送信電力が業務用無線での送信電力よりも小さいので、業務用無線を使用しているときのバッテリ残量が少なくなっても、携帯通信を使用することによって、バッテリで通信を実行している期間を長くできる。また、業務用無線の使用を停止した場合に送信停止を通知するので、業務用無線から携帯通信への切替を確実に通知できる。また、送信停止を通知するので、受信側での処理を簡易にできる。
【００８９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００９０】
本実施例によれば、通信システム１００は、業務用無線を使用している。しかしながらこれに限らず例えば、業務用無線以外の無線通信システムが使用されてもよい。本実施例によれば、構成の自由度を向上できる。
【００９１】
本実施例によれば、第１通信端末装置１０ａが音声データを記憶する。しかしながらこれに限らず例えば、サーバ装置２０が、第１通信端末装置１０ａにおいて生成された音声データを記憶してもよい。この場合、第２通信端末装置１０ｂは、サーバ装置２０に要求信号を送信し、サーバ装置２０は、第２通信端末装置１０ｂへ音声信号を送信する。本変形例によれば、通信端末装置１０の構成を簡易にできる。
【符号の説明】
【００９２】
１０  通信端末装置、  １２  携帯通信用基地局装置、  １４  交換局、  １６  ＰＳＴＮ、  １８  インターネット、  ２０  サーバ装置、  ２２  業務用無線用基地局装置、  ２４  ネットワーク、  ３０  携帯通信部、  ３２  業務用無線通信部、  ３４  処理部、  ３６  操作部、  ３８  モニタ、  ４０  マイク、  ４２  スピーカ、  ４４  記憶部、  ４６  制御部、  ５０  携帯通信部、  ５２  業務用無線通信部、  ５４  処理部、  ５６  操作部、  ５８  モニタ、  ６０  マイク、  ６２  スピーカ、  ６４  記憶部、  ６６  制御部、  １００  通信システム。
【図１】
2016100767.tif 000003
【図２】
2016100767.tif 000004
【図３】
2016100767.tif 000005
【図４】
2016100767.tif 000006
【図５】
2016100767.tif 000007
【図６】
2016100767.tif 000008
【図７】
2016100767.tif 000009
【図８】
2016100767.tif 000010
【図９】
2016100767.tif 000011
【図１０】
2016100767.tif 000012
【図１１】
2016100767.tif 000013
【図１２】
2016100767.tif 000014
【図１３】
2016100767.tif 000015
【図１４】
2016100767.tif 000016
【図１５】
2016100767.tif 000017
【図１６】
2016100767.tif 000018
【図１７】
2016100767.tif 000019
【図１８】
2016100767.tif 000020
【図１９】
2016100767.tif 000021
【図２０】
2016100767.tif 000022
【図２１】
2016100767.tif 000023
【図２２】
2016100767.tif 000024
【図２３】
2016100767.tif 000025
【図２４】
2016100767.tif 000026